(57)【要約】【課題】通信相手のユーザーの優先順位にしたがって、通信中における通信手段を切り替えることができる情報処理装置を提供する。【解決手段】情報処理装置の複数の通信手段は、異なる通信速度で無線通信可能であり、切替手段は、通信を開始しようとした場合に、通信中のユーザーの優先順位と通信を開始しようとしているユーザーの優先順位を比較して、優先順位の高いユーザーがより通信速度の速い通信手段を使用するように通信手段の切り替えを行い、制御手段は、前記切替手段によって切り替えられた通信手段によって通信を開始するように制御する。【選択図】図１
2018166300.tif 000002
【特許請求の範囲】
【請求項１】
異なる通信速度で無線通信可能な複数の通信手段と、
通信を開始しようとした場合に、通信中のユーザーの優先順位と通信を開始しようとしているユーザーの優先順位を比較して、優先順位の高いユーザーがより通信速度の速い通信手段を使用するように通信手段の切り替えを行う切替手段と、
前記切替手段によって切り替えられた通信手段によって通信を開始するように制御する制御手段
を有する情報処理装置。
【請求項２】
前記通信手段は複数のチャネルを有しており、
前記切替手段は、通信中のサービスが複数のチャネルを利用している場合は、チャネル数を減らして、通信を開始しようとしているサービスに減らしたチャネルを割り振ることによって、切り替えを行う、
請求項１に記載の情報処理装置。
【請求項３】
前記切替手段は、さらに、通信中の通信に対して割り込みの指示が行われた場合に、ユーザーの優先順位を比較して、通信手段の切り替えを行う、
請求項１又は２に記載の情報処理装置。
【請求項４】
コンピュータを、
異なる通信速度で無線通信可能な複数の通信手段と、
通信を開始しようとした場合に、通信中のユーザーの優先順位と通信を開始しようとしているユーザーの優先順位を比較して、優先順位の高いユーザーがより通信速度の速い通信手段を使用するように通信手段の切り替えを行う切替手段と、
前記切替手段によって切り替えられた通信手段によって通信を開始するように制御する制御手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、マルチメディア通信が盛んな今日において、ネットワーク接続のモード切り替えを、高品質かつ高速データ通信若しくは安価なデータ通信などさまざまなニーズに合わせて多様に行えるマルチモード携帯端末及びモード切替方法を提供することを課題とし、規格が異なる複数の無線通信ネットワークに接続可能なマルチモード携帯端末において、ディスプレイに表示されたモード選択メニュー上での音声通信とデータ通信の２つのモードの選択、前記音声通信と前記データ通信のそれぞれについての自動設定と手動設定の選択、前記手動設定された音声通信とデータ通信のそれぞれについてのインフラからの選択、コンテンツからの選択、指標からの選択により、移動体通信網、ＷｉＭＡＸ、無線ＬＡＮという３つのネットワークへ接続する優先順位を決定する情報を含むモード選択情報を取り込むモード選択手段と、移動体通信網、ＷｉＭＡＸ、無線ＬＡＮのうちのどの無線通信ネットワークのエリア圏内に在圏しているかを、それぞれの固有の制御信号の有無により判別し、圏内にある無線通信ネットワークについて、前記モード選択手段で取り込まれた前記モード選択情報にしたがった優先順位で接続処理を行うネットワーク判別手段と、圏内にある無線通信ネットワークについて、前記モード選択情報に応じた優先順位で選択して接続するネットワーク選択手段とを備えたことが開示されている。
【０００３】
特許文献２には、所定の規準で優先順位をそれぞれ設定した複数の順位設定情報のうちいずれか１つを自動的に選択し、選択された順位設定情報によって設定された優先順位で通信手段の選択を行うことができる通信装置を、提供することを課題とし、優先順位参照プロセスは、選択規準レジスタに設定されている選択規準を読み込み、この選択規準が「相手先」に設定されている場合には、通信の相手先に関連付けられているいずれかの順位設定スクリプトを読み込み、選択規準が「時間帯」に設定されている場合には、タイマからの現在時間情報によって示される時刻を含む時間帯に関連付けられているいずれかの順位設定スクリプトを読み込み、選択プロセスは、読み込んだ順位設定スクリプトによって定められている優先順位の順に、各通信手段による通信が可能であるか否かをチェックし、最初に通信可能であると判断した通信手段を、選択し、通信プログラムは、選択された通信手段を用いて相手方との通信を行うことが開示されている。
【０００４】
特許文献３には、通信相手に対応する通信方式を効率的に選択することを課題とし、位置計測部は、現在地の位置情報を取得し、リスト記憶部は、複数の通信方式に優先順位がつけられて登録されている優先順位リストを位置情報に対応付けて記憶しており、情報処理部は、取得された現在地の位置情報に対応する優先順位リストを、リスト記憶部から読み出し、読み出した優先順位リストに基づいて、順次、複数の通信方式のうちのいずれかを選択し、選択した通信方式に対応して、通信相手との通信を非接触ＩＣチップに実行させ、例えば、非接触近接無線通信を行う携帯電話機に適用できることが開示されている。
【先行技術文献】
【特許文献】
【０００５】
【特許文献１】特許第４７１６１４４号公報
【特許文献２】特開平１１−２５２６６２号公報
【特許文献３】特開２００９−３０３１０７号公報
【発明の概要】
【発明が解決しようとする課題】
【０００６】
無線通信機器では、通信速度が異なる複数の通信手段を装備しているものがある。従来技術では、通信開始前に、通信手段を選択することが行われている。
ところで、その無線通信機器では、並列して複数の通信が行われる場合がある。
本発明は、通信相手のユーザーの優先順位にしたがって、通信中における通信手段を切り替えることができる情報処理装置及び情報処理プログラムを提供することを目的としている。
【課題を解決するための手段】
【０００７】
かかる目的を達成するための本発明の要旨とするところは、次の各項の発明に存する。
請求項１の発明は、異なる通信速度で無線通信可能な複数の通信手段と、通信を開始しようとした場合に、通信中のユーザーの優先順位と通信を開始しようとしているユーザーの優先順位を比較して、優先順位の高いユーザーがより通信速度の速い通信手段を使用するように通信手段の切り替えを行う切替手段と、前記切替手段によって切り替えられた通信手段によって通信を開始するように制御する制御手段を有する情報処理装置である。
【０００８】
請求項２の発明は、前記通信手段は複数のチャネルを有しており、前記切替手段は、通信中のサービスが複数のチャネルを利用している場合は、チャネル数を減らして、通信を開始しようとしているサービスに減らしたチャネルを割り振ることによって、切り替えを行う、請求項１に記載の情報処理装置である。
【０００９】
請求項３の発明は、前記切替手段は、さらに、通信中の通信に対して割り込みの指示が行われた場合に、ユーザーの優先順位を比較して、通信手段の切り替えを行う、請求項１又は２に記載の情報処理装置である。
【００１０】
請求項４の発明は、コンピュータを、異なる通信速度で無線通信可能な複数の通信手段と、通信を開始しようとした場合に、通信中のユーザーの優先順位と通信を開始しようとしているユーザーの優先順位を比較して、優先順位の高いユーザーがより通信速度の速い通信手段を使用するように通信手段の切り替えを行う切替手段と、前記切替手段によって切り替えられた通信手段によって通信を開始するように制御する制御手段として機能させるための情報処理プログラムである。
【発明の効果】
【００１１】
請求項１の情報処理装置によれば、通信相手のユーザーの優先順位にしたがって、通信中における通信手段を切り替えることができる。
【００１２】
請求項２の情報処理装置によれば、通信中のサービスが複数のチャネルを利用している場合は、チャネル数を減らして、通信を開始しようとしているサービスに減らしたチャネルを割り振ることによって、切り替えを行うことができる。
【００１３】
請求項３の情報処理装置によれば、通信中の通信に対して割り込みの指示が行われた場合に、ユーザーの優先順位を比較して、通信手段の切り替えを行うことができる。
【００１４】
請求項４の情報処理プログラムによれば、通信相手のユーザーの優先順位にしたがって、通信中における通信手段を切り替えることができる。
【図面の簡単な説明】
【００１５】
【図１】本実施の形態の構成例についての概念的なモジュール構成図である。
【図２】本実施の形態を利用したシステム構成例を示す説明図である。
【図３】本実施の形態の具体的な構成例を示す説明図である。
【図４】チャネルの例を示す説明図である。
【図５】本実施の形態による処理例を示すフローチャートである。
【図６】ユーザー情報テーブルのデータ構造例を示す説明図である。
【図７】本実施の形態による処理例を示すフローチャートである。
【図８】本実施の形態による処理例を示すフローチャートである。
【図９】本実施の形態による処理例を示すフローチャートである。
【図１０】本実施の形態による処理例を示すフローチャートである。
【図１１】本実施の形態による処理例を示すフローチャートである。
【図１２】本実施の形態による処理例を示すフローチャートである。
【図１３】本実施の形態による処理例を示すフローチャートである。
【図１４】本実施の形態による処理例を示すフローチャートである。
【図１５】本実施の形態による処理例を示すフローチャートである。
【図１６】本実施の形態による処理例を示すフローチャートである。
【図１７】本実施の形態による処理例を示すフローチャートである。
【図１８】本実施の形態による処理例を示すフローチャートである。
【図１９】本実施の形態による処理例を示すフローチャートである。
【図２０】本実施の形態による処理例を示すフローチャートである。
【図２１】本実施の形態を実現するコンピュータのハードウェア構成例を示すブロック図である。
【発明を実施するための形態】
【００１６】
まず、本実施の形態を説明する前に、その前提又は本実施の形態を利用する情報処理装置について説明する。なお、この説明は、本実施の形態の理解を容易にすることを目的とするものである。
従来、スマートフォン等は複数の異なる通信手段を搭載しており、何らかの優先順位等で接続する通信手段を決めて通信を行っている。
先にあげた特許文献に記載の技術では、通信するとき（又は通信開始前）に、そのときに最適な通信手段を選択して通信をするものである。
しかし、複数の通信手段から選択して通信しているが、その後の他の通信手段の状況によっては、必ずしも全体として最適な状況ではなくなってしまう可能性がある。例えば、あるユーザーＡからの通信要求によって通信速度の速い通信手段で通信を開始した後に、通信速度を求めている他のユーザーＢ（例えば、上司）からの通信要求があったとしても、通信速度の遅い通信手段を使用することになってしまうため、後からのユーザーＢの通信時間がかかってしまうことになる。
本実施の形態は、そのような場合に、先に行われている通信における通信手段を切り替えることで、後から通信要求したユーザーＢに対して通信速度の速い通信手段を割り当てることができる。
【００１７】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、すべての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１８】
本実施の形態である情報処理装置１００は、通信機器１８０との無線通信を行うものであって、図１の例に示すように、通信制御モジュール１１０、無線通信Ａモジュール１３０Ａ、無線通信Ｂモジュール１３０Ｂを有している。なお、無線通信モジュール１３０は、３つ以上あってもよい。
【００１９】
通信機器１８０Ａは、通信回線を介して情報処理装置１００の無線通信Ａモジュール１３０Ａと接続されている。通信機器１８０Ａは、無線通信Ａモジュール１３０Ａとの間で、ある伝送方式、チャネルによる無線通信が可能である。
通信機器１８０Ｂは、通信回線を介して情報処理装置１００の無線通信Ｂモジュール１３０Ｂと接続されている。通信機器１８０Ｂは、無線通信Ｂモジュール１３０Ｂとの間で、ある伝送方式、チャネルによる無線通信が可能である。
通信機器１８０として、例えば、携帯情報通信機器（携帯電話、スマートフォン、モバイル機器、ウェアラブルコンピュータ等を含む）、ノートＰＣ、アクセスポイント等がある。なお、情報処理装置１００と無線通信可能な通信機器１８０は、複数あってもよい。  また、各通信機器１８０は、複数の伝送方式、複数のチャネルで無線通信可能であってもよい。
また、通信機器１８０は、その無線通信によって、情報処理装置１００に対してサービスを要求する。ここで「サービス」とは、その通信を行うことによって提供される機能、働きをいい、ジョブともいわれる。例えば、情報処理装置１００を含む画像処理装置２００に対して、印刷指示を行う印刷処理サービス、画像の読み取り結果を受け取る画像読取りサービス等がある。
【００２０】
無線通信Ａモジュール１３０Ａは、通信制御モジュール１１０と接続されており、また、通信回線を介して通信機器１８０Ａと接続されている。無線通信Ａモジュール１３０Ａは、通信機器１８０Ａとの間で、ある伝送方式、チャネルによる無線通信が可能である。例えば、無線通信Ａモジュール１３０Ａの通信速度は、無線通信Ｂモジュール１３０Ｂの通信速度と異なる。以下の説明では、例示として、無線通信Ａモジュール１３０Ａの通信速度は、無線通信Ｂモジュール１３０Ｂの通信速度よりも速いものとする。
無線通信Ｂモジュール１３０Ｂは、通信制御モジュール１１０と接続されており、また、通信回線を介して通信機器１８０Ｂと接続されている。無線通信Ｂモジュール１３０Ｂは、通信機器１８０Ｂとの間で、ある伝送方式、チャネルによる無線通信が可能である。例えば、無線通信Ｂモジュール１３０Ｂの通信速度は、無線通信Ａモジュール１３０Ａの通信速度と異なる。以下の説明では、例示として、無線通信Ｂモジュール１３０Ｂの通信速度は、無線通信Ａモジュール１３０Ａの通信速度よりも遅いものとする。
また、各無線通信モジュール１３０は、複数の伝送方式、複数のチャネルで無線通信可能であってもよい。複数の伝送方式として、例えば、ＩＥＥＥ８０２．１１ａ、ＩＥＥＥ８０２．１１ｂ、ＩＥＥＥ８０２．１１ｃ、ＩＥＥＥ８０２．１１ｇ、ＩＥＥＥ８０２．１１ｎ、ＩＥＥＥ８０２．１１ａｃ、ＩＥＥＥ８０２．１１ｊ、ＩＥＥＥ８０２．１１ａｄ、ブルートゥース（登録商標）等がある。
また、無線通信モジュール１３０が有している伝送方式のうち、少なくとも１つの伝送方式は複数のチャネル（無線通信路）を有していてもよい。もちろんのことながら、すべての伝送方式が、それぞれ複数のチャネルを有しているものであってもよい。
また、無線通信モジュール１３０が無線通信可能な伝送方式として、少なくともＩＥＥＥ８０２．１１ａｄを含むようにしてもよい。
【００２１】
通信制御モジュール１１０は、切替判断モジュール１１５、切替モジュール１２０、制御モジュール１２５を有しており、無線通信Ａモジュール１３０Ａ、無線通信Ｂモジュール１３０Ｂと接続されている。通信制御モジュール１１０は、情報処理装置１００と通信機器１８０との無線通信を制御する。
【００２２】
切替判断モジュール１１５は、通信Ｙを開始しようとした場合に、既に通信Ｘが行われている場合に、通信Ｘが使用している無線通信モジュール１３０（無線通信Ａモジュール１３０Ａ、無線通信Ｂモジュール１３０Ｂのいずれか）を、通信Ｙに使用させるか否かの判断を行う。なお、通信Ｘと通信Ｙは、異なる通信速度の無線通信であって、具体的には、伝送方式又はチャネルが異なるものとする。
例えば、切替判断モジュール１１５は、通信Ｙを開始しようとした場合に、通信中のユーザーＡの優先順位（「優先度」を含む）と通信を開始しようとしているユーザーＢの優先順位を比較して、無線通信モジュール１３０の切り替えを行うか否かの判断を行うようにしてもよい。ここで、「無線通信モジュール１３０の切り替え」とは、通信Ｘで使用されている無線通信Ａモジュール１３０Ａ（無線通信Ａモジュール１３０Ａは、無線通信Ｂモジュール１３０Ｂより通信速度が速い）を、無線通信Ｂモジュール１３０Ｂ（無線通信Ｂモジュール１３０Ｂは、無線通信Ａモジュール１３０Ａより通信速度が遅い）に変更すること、又は、チャネル数を変更することをいう。これによって、無線通信Ａモジュール１３０Ａを通信Ｙに使用させることができるようになる。
さらに、切替判断モジュール１１５は、ユーザーの優先順位の条件に加えて、通信中のサービスＡの優先順位と通信Ｙを開始しようとしているサービスＢの優先順位を比較して、切り替えを行うか否かの判断を行うようにしてもよい。
具体的には、切替判断モジュール１１５は、通信ＸのユーザーＡの優先順位よりも通信ＹのユーザーＢの優先順位が高く、かつ、通信Ｙを開始しようとしているサービスＢの優先順位が、通信中のサービスＡの優先順位よりも高い場合に、切り替えを行うように判断するようにしてもよい。また、優先順位として、印刷処理サービスは画像読取りサービスよりも高く設定されていてもよい。
また、例えば、切替判断モジュール１１５は、ユーザーの優先順位の条件に加えて、通信Ｘである通信中のサービスＡの残データ量又は残通信時間と通信Ｙを開始しようとしているサービスＢのデータ量又は通信時間を比較して、切り替えを行うか否かの判断を行うようにしてもよい。
【００２３】
また、切替判断モジュール１１５は、通信中の通信に対して割り込みの指示が行われた場合に、無線通信モジュール１３０の切り替えを行うか否かの判断を行うようにしてもよい。
また、切替判断モジュール１１５は、通信中の通信に対して割り込みの指示が行われた場合に、ユーザーの優先順位を比較して、無線通信モジュール１３０の切り替えを行うか否かの判断を行うようにしてもよい。
【００２４】
切替モジュール１２０は、通信Ｙを開始しようとした場合に、通信速度が無線通信Ｂモジュール１３０Ｂよりも速い無線通信Ａモジュール１３０Ａが通信Ｘによって既に使用されているときは、通信Ｘが使用しているその無線通信Ａモジュール１３０Ａを通信速度の遅い無線通信Ｂモジュール１３０Ｂに切り替える。具体的には、既に（通信Ｙの開始前では）、通信機器１８０Ａとの間で無線通信Ａモジュール１３０Ａを用いて通信Ｘが行われており、その通信中に、通信機器１８０Ｂから通信要求があった場合が該当する。この場合に、通信機器１８０Ａとの間の通信Ｘを、無線通信Ａモジュール１３０Ａから無線通信Ｂモジュール１３０Ｂに切り替える。したがって、この切り替えによって、通信Ｘは、無線通信Ｂモジュール１３０Ｂを介して通信機器１８０Ａと通信を行うことになる。
そして、制御モジュール１２５は、無線通信Ａモジュール１３０Ａによる通信Ｙを開始するように制御する。つまり、通信Ｙは、無線通信Ａモジュール１３０Ａを介して通信機器１８０Ｂと通信を行うことになる。
【００２５】
例えば、切替モジュール１２０は、通信を開始しようとした場合に、通信中のユーザーＡの優先順位と通信を開始しようとしているユーザーＢの優先順位を比較して、優先順位の高いユーザーがより通信速度の速い無線通信モジュール１３０を使用するように無線通信モジュール１３０の切り替えを行う。
【００２６】
また、切替モジュール１２０は、ユーザーの優先順位の条件に加えて、通信Ｘである通信中のサービスＡの優先順位と通信Ｙを開始しようとしているサービスＢの優先順位を比較して、通信の切り替えを行うようにしてもよい。
ここで、優先順位として、印刷処理サービスは画像読取りサービスよりも高くしてもよい。その場合、切替モジュール１２０は、通信を開始しようとしているサービスＢの優先順位が、通信中のサービスＡの優先順位よりも高い場合に、通信の切り替えを行うようにしてもよい。
また、切替モジュール１２０は、ユーザーの優先順位の条件に加えて、通信中のサービスＡの残データ量又は残通信時間と通信を開始しようとしているサービスＢのデータ量又は通信時間を比較して、通信の切り替えを行うようにしてもよい。
また、切替モジュール１２０は、通信中のサービスＡが複数のチャネルを利用している場合は、チャネル数を減らして、通信を開始しようとしているサービスＢに、その減らしたチャネルを割り振ることによって、通信の切り替えを行うようにしてもよい。チャネルに関しては、図４の例を用いて後述する。
【００２７】
また、切替モジュール１２０は、通信中の通信に対して割り込みの指示が行われた場合に、無線通信モジュール１３０の切り替えを行うようにしてもよい。つまり、通信Ｙに割り込み指示があったか否かを判断し、割り込み指示があった場合に、その割り込み指示を行った通信Ｙに、通信速度の速い無線通信モジュール１３０を割り当てるようにするものである。
また、切替モジュール１２０は、通信中の通信に対して割り込みの指示が行われた場合に、ユーザーの優先順位を比較して、無線通信モジュール１３０の切り替えを行うようにしてもよい。つまり、後の通信Ｙに割り込み指示があり、かつ、通信Ｙの指示を行ったユーザーＢの優先順位が通信中のユーザーＡの優先順位よりも高い場合に、通信Ｙに、通信速度の速い無線通信モジュール１３０を割り当てるようにするものである。
【００２８】
図２は、本実施の形態を利用したシステム構成例を示す説明図である。
画像処理装置２００は、情報処理装置１００を有している。画像処理装置２００と、ユーザー２８０Ｃの通信機器１８０Ｃ、ユーザー２８０Ｄの通信機器１８０Ｄとは、通信回線を介して接続されている。特に、画像処理装置２００は、オフィス等に設置され、複数人で使用される機器であり、複数の通信機器１８０から同時に使用されることがある。画像処理装置２００として、例えば、複写機、ファックス、スキャナ、プリンタ、複合機（スキャナ、プリンタ、複写機、ファックス等のいずれか２つ以上の機能を有している画像処理装置）等である。
【００２９】
画像処理装置２００では、複数の無線通信モジュール１３０から最適な無線通信モジュール１３０を選択し、選択した無線通信モジュール１３０が他のサービス（他のジョブ）で使用中でも通信中の無線通信モジュール１３０と切り替えて最適な無線通信モジュール１３０で通信ができるようになる。
具体例をもって示す。
ユーザー２８０Ｃは、画像処理装置２００でスキャン操作をして、通信機器１８０Ｃにスキャンイメージである画像を送信し、通信機器１８０Ｃ内にその画像を取り込む処理（画像読取りサービス）を行おうとしている。つまり、画像処理装置２００と通信機器１８０Ｃが通信中である。
その後に、ユーザー２８０Ｃの上司であるユーザー２８０Ｄ（ユーザー２８０Ｄの優先順位は、ユーザー２８０Ｃの優先順位よりも高い）は、通信機器１８０Ｄを操作して、画像処理装置２００に印刷指示を送信した。この場合、切り替え処理が行われる。
例えば、通信機器１８０Ｃとの間で、ＩＥＥＥ８０２．１１ａｄの伝送方式での無線通信を既に行っていた場合は、通信機器１８０Ｄとの通信を行うにあたって、前述した切り替えによって、通信機器１８０Ｃとの間で、ＩＥＥＥ８０２．１１ｎの伝送方式での無線通信に切り替え、通信機器１８０Ｄとの間で、ＩＥＥＥ８０２．１１ａｄの伝送方式での無線通信を行う。
【００３０】
図３は、本実施の形態（画像処理装置２００）の具体的な構成例を示す説明図である。画像処理装置２００は、ＳｏＣ３００（Ｓｙｓｔｅｍ  ｏｎ  ａ  Ｃｈｉｐ）、１１ｂ：３１０ａ、１１ａ：３１０ｂ、１１ａｃ：３１０ｃ、ＷｉＧｉｇ：３１０ｄ、ＷｉＧｉｇ：３１０ｅ、１１ａｃ：３１０ｆ、１１ｎ：３１０ｇ、１１ｇ：３１０ｈ、ブルートゥース３１０ｉ、アンテナ３２０、システムメモリ３４２、ハードディスク３４４、ＵＳＢデバイス３４６、ＡＳＩＣ３３０（Ａｐｐｌｉｃａｔｉｏｎ  Ｓｐｅｃｉｆｉｃ  Ｉｎｔｅｇｒａｔｅｄ  Ｃｉｒｃｕｉｔ）、ユーザーインタフェース３３２、スキャナ３３４、プリンタ３３６を有している。
１１ｂ：３１０ａは、アンテナ３２０、ＳｏＣ３００と接続されている。１１ａ：３１０ｂは、アンテナ３２０、ＳｏＣ３００と接続されている。１１ａｃ：３１０ｃは、アンテナ３２０、ＳｏＣ３００と接続されている。ＷｉＧｉｇ：３１０ｄは、アンテナ３２０、ＳｏＣ３００と接続されている。ＷｉＧｉｇ：３１０ｅは、アンテナ３２０、ＳｏＣ３００と接続されている。１１ａｃ：３１０ｆは、アンテナ３２０、ＳｏＣ３００と接続されている。１１ｎ：３１０ｇは、アンテナ３２０、ＳｏＣ３００と接続されている。１１ｇ：３１０ｈは、アンテナ３２０、ＳｏＣ３００と接続されている。ブルートゥース３１０ｉは、アンテナ３２０、ＳｏＣ３００と接続されている。アンテナ３２０は共有してもよい。また、複数あってもよい。通信装置（通信用チップ）３１０とアンテナ３２０の組み合わせは、図１の例に示した無線通信モジュール１３０を具現化した一例である。１１ｂ：３１０ａ〜１１ｇ：３１０ｈは、国際標準の無線通信規格である「ＩＥＥＥ  ８０２．１１規格」に準拠したものであり、「ａ」「ａ／ｂ」「ｂ／ｇ」「ａ／ｂ／ｇ／ｎ」等がある。もちろんのことながら、この規格に準拠した製品であるＷｉ−Ｆｉ（Ｗｉｒｅｌｅｓｓ  Ｆｉｄｅｌｉｔｙ）であってもよい。特に、６０ＧＨｚ帯の無線通信規格であるＩＥＥＥ８０２．１１ａｄを採用してもよい。つまり、ＩＥＥＥ８０２．１１ａｄに準拠した製品であるＷｉＧｉｇ（Ｗｉｒｅｌｅｓｓ  Ｇｉｇａｂｉｔ、ワイギグ）であってもよい。また、無線通信の伝送方式として、ブルートゥース３１０ｉのように、「ＩＥＥＥ  ８０２．１１規格」以外の伝送方式であってもよい。
【００３１】
ＳｏＣ３００は、１１ｂ：３１０ａ、１１ａ：３１０ｂ、１１ａｃ：３１０ｃ、ＷｉＧｉｇ：３１０ｄ、ＷｉＧｉｇ：３１０ｅ、１１ａｃ：３１０ｆ、１１ｎ：３１０ｇ、１１ｇ：３１０ｈ、ブルートゥース３１０ｉ、システムメモリ３４２、ハードディスク３４４、ＵＳＢデバイス３４６、ＡＳＩＣ３３０と接続されている。ＳｏＣ３００は、通信制御モジュール１１０を具現化した一例であり、主に、通信装置（通信用チップ）３１０、システムメモリ３４２、ハードディスク３４４、ＵＳＢデバイス３４６を制御する。
システムメモリ３４２は、ＳｏＣ３００と接続されている。システムメモリ３４２は、例えば、通信制御モジュール１１０のプログラムを実施するにあたり利用されるメモリである。
ハードディスク３４４は、ＳｏＣ３００と接続されている。ハードディスク３４４には、例えば、通信内容等が格納される。
ＵＳＢデバイス３４６は、ＳｏＣ３００と接続されている。ＵＳＢデバイス３４６は、例えば、外部接続機器であるリムーバブル記録媒体、ＩＣカード等の読み込み、書き込み等を行う。また、他の通信装置を接続してもよい。
【００３２】
ＡＳＩＣ３３０は、ＳｏＣ３００、ユーザーインタフェース３３２、スキャナ３３４、プリンタ３３６と接続されている。ＡＳＩＣ３３０は、画像処理装置２００としての主な機能を実現させるためのスキャナ３３４、プリンタ３３６、ユーザーインタフェース３３２等を制御する。
ユーザーインタフェース３３２は、ＡＳＩＣ３３０と接続されている。ユーザーインタフェース３３２は、例えば、タッチパネルを兼ねる液晶ディスプレイを制御して、ユーザーの操作を受け付け、ユーザーに対してメッセージ等を提示する。この他、マウス、キーボード、カメラ、マイク等を用いたユーザーの操作（視線、ジェスチャ、音声等も含む）を受け付けるようにしてもよいし、スピーカーによる音声出力、触覚デバイスを用いた触感によって、ユーザーへのメッセージを提示するようにしてもよい。
スキャナ３３４は、ＡＳＩＣ３３０と接続されている。スキャナ３３４は、原稿の画像を読み取って、その画像を送信する。
プリンタ３３６は、ＡＳＩＣ３３０と接続されている。プリンタ３３６は、通信装置（通信用チップ）３１０又はユーザーインタフェース３３２が受け取った印刷指示にしたがって印刷を行う。
【００３３】
図４は、チャネルの例を示す説明図である。
例えば、「ＩＥＥＥ  ８０２．１１規格」の周波数「２．４ＧＨｚ帯」と「５ＧＨｚ帯」におけるチャネルを説明する。
「２．４ＧＨｚ帯」を利用した無線規格は他の機器による影響を受けやすく安定した通信がしにくい。例えば、近くに電子レンジや同じ無線ＬＡＮ機器があると、その通信は不安定なものになることが多い。一方、「５ＧＨｚ帯」と比べると電波は遠くに届き、障害物等の影響が少ない。また、多くの機器が利用しており、互換性が高い。
「５ＧＨｚ帯」は、この周波数帯を利用している機器が少ないため、電子レンジ等の影響も少なく安定した通信が期待できる。一方、遮蔽物があると「２．４ＧＨｚ帯」と比べ影響を受けやすく、壁が多くなると安定した通信ができなくなる。
また、前述した６０ＧＨｚ帯のＩＥＥＥ８０２．１１ａｄは、通信可能な距離は１０ｍほどと短いが、大容量・高速通信ができる。そして、直進性が強いために遮蔽物を越えられないが、複数のアンテナによる指向性制御を取り入れることで送受信特性を向上させることも可能である。このように、伝送方式によって、メリット、デメリットがあるため、通信途中であっても、他の伝送方式に切り替えることは有効である。
【００３４】
また、通信途中であっても、他のチャネルに切り替えることは有効である場合がある。
無線通信で利用できる周波数の範囲は定まっている。その範囲内で、複数の通信機器が同時に通信できるように利用する周波数帯域を分割し、「チャネル」に分けている。
２．４ＧＨｚ帯を使用するＩＥＥＥ８０２．１１ｂ／ｇ／ｎでは、チャネル幅：２０ＭＨｚであり、１ｃｈ〜１３ｃｈの１３チャネルに分かれている。
５ＧＨｚ帯を使用するＩＥＥＥ８０２．１１ａ／ｎ／ａｃでは、チャネル幅：２０／４０ＭＨｚ、８０／１６０ＭＨｚであり、３６ｃｈ〜６４ｃｈ、１００ｃｈ〜１４０ｃｈの１９チャネルに分かれている。
６０ＧＨｚ帯を使用するＩＥＥＥ８０２．１１ａｄでは、チャネル幅：９ＧＨｚであり、１ｃｈ〜４ｃｈの４チャネルに分かれている。
【００３５】
図４（ａ）の例に示すように、２．４ＧＨｚ帯を使用するＩＥＥＥ８０２．１１ｂ／ｇ／ｎでは、例えば、１ｃｈは、中心周波数：２４１２ＭＨｚ、帯域：２４０１〜２４２３ＭＨｚとしており、２ｃｈは、中心周波数：２４１７ＭＨｚ、帯域：２４０６〜２４２８ＭＨｚとしており、３ｃｈは、中心周波数：２４２２ＭＨｚ、帯域：２４１１〜２４３３ＭＨｚとしており、４ｃｈは、中心周波数：２４１７ＭＨｚ、帯域：２４１６〜２４３８ＭＨｚとしており、５ｃｈは、中心周波数：２４３２ＭＨｚ、帯域：２４２１〜２４４３ＭＨｚとしており、６ｃｈは、中心周波数：２４３７ＭＨｚ、帯域：２４２６〜２４４８ＭＨｚとしており、７ｃｈは、中心周波数：２４４２ＭＨｚ、帯域：２４３１〜２４５３ＭＨｚとしており、８ｃｈは、中心周波数：２４４７ＭＨｚ、帯域：２４３６〜２４５８ＭＨｚとしており、９ｃｈは、中心周波数：２４５２ＭＨｚ、帯域：２４４１〜２４６３ＭＨｚとしており、１０ｃｈは、中心周波数：２４５７ＭＨｚ、帯域：２４４６〜２４６８ＭＨｚとしており、１１ｃｈは、中心周波数：２４６２ＭＨｚ、帯域：２４５１〜２４７３ＭＨｚとしており、１２ｃｈは、中心周波数：２４６７ＭＨｚ、帯域：２４５６〜２４７８ＭＨｚとしており、１３ｃｈは、中心周波数：２４７２ＭＨｚ、帯域：２４６１〜２４８３ＭＨｚとしており、１４ｃｈは、中心周波数：２４８４ＭＨｚ、帯域：２４７３〜２４９５ＭＨｚとしている。
このように、チャネルは隣り合っているチャネルの周波数帯と被ってしまっている。これをオーバーラップ（ｏｖｅｒｌａｐ）という。具体的には、「チャネル幅２０ＭＨｚ」の場合は前後３チャネル分、「チャネル幅２２ＭＨｚ」の場合は前後４チャネル分重複しており、互いに干渉してしまう関係にある。
つまり、無線通信で１台が「１ｃｈ」でもう一台が「２ｃｈ」を利用していると、互いに干渉してしまい通信が不安定になってしまうことがある。
３チャネル分（又は４チャネル分）重なっているのならば、重複分＋１だけチャネル数をずらせばお互いのチャネルは干渉しなくなる。「チャネル幅２０ＭＨｚ」の場合は「１ｃｈ、５ｃｈ、９ｃｈ、１３ｃｈ」、「チャネル幅２２ＭＨｚ」の場合は「１ｃｈ、６ｃｈ、１１ｃｈ（２ｃｈ、７ｃｈ、１２ｃｈや３ｃｈ、８ｃｈ、１３ｃｈ）」をそれぞれ利用させればお互いの通信は安定する。したがって、安定した通信が期待できるチャネル（非オーバーラップチャネル）は、４チャネル分（又は３チャネル）ある。
【００３６】
図４（ｂ）の例に示すように、５ＧＨｚ帯を使用するＩＥＥＥ８０２．１１ａ／ｎ／ａｃでは、１９チャネルあり、各チャネルの周波数帯は独立しており互いのチャネルが干渉しないようになっている。つまり、隣接チャネルを割り当てても干渉することはない。よって、５ＧＨｚ帯を利用すると他の機器との干渉も無くなるだけでなく、チャネルによる干渉も無くなる。
【００３７】
また、チャネルの切り替えとして、「チャネルボンディング（Ｃｈａｎｎｅｌ  Ｂｏｎｄｉｎｇ）」機能（倍速モード）を含めてもよい。つまり、チャネルの切り替えとして、チャネルボンディング機能を用いていない無線通信からチャネルボンディング機能を用いた無線通信への変更、チャネルボンディング機能を用いた無線通信からチャネルボンディング機能を用いていない無線通信への変更、チャネルボンディング機能におけるチャネルの切り替えが加わる。チャネルボンディング機能は、同時に２つのチャネルを使い、結合させることで通信速度を高める技術である。例えば、１つのチャネルが占有する帯域は２０ＭＨｚであるが、これをまとめて４０ＭＨｚの帯域として通信させるものである。ただし、チャネルボンディング機能を使うと利用できるチャネル数は減少することになり、干渉も起こりやすくなる。なお、親機と子機が、チャネルボンディング機能に対応していることが必要である。
また、伝送方式の切り替えとして、「ＭＩＭＯ（Ｍｕｌｔｉｐｌｅ  Ｉｎｐｕｔ，  Ｍｕｌｔｉｐｌｅ  Ｏｕｔｐｕｔ）」を含めてもよい。つまり、伝送方式の切り替えとして、ＭＩＭＯを用いていない無線通信からＭＩＭＯを用いた無線通信への変更、ＭＩＭＯを用いた無線通信からＭＩＭＯを用いていない無線通信への変更、ＭＩＭＯにおけるアンテナの変更が加わる。ＭＩＭＯは、無線通信において送信機と受信機の双方で複数のアンテナを使って通信を高速化する技術である。なお、親機と子機が、ＭＩＭＯに対応していることが必要である。
【００３８】
図５は、本実施の形態による処理例を示すフローチャートである。
以下、フローチャートの説明では、例えば、伝送方式を示す通信Ａとして、ＷｉＧｉｇ通信が該当し、伝送方式を示す通信Ｂとして、その他のＷｉ−Ｆｉ通信が該当する。
ステップＳ５０２では、ユーザーの操作によるログインがあったか否かを判断し、ログインがあった場合はステップＳ５０４へ進み、それ以外の場合はログインがあるまで待機する。ここでのログイン処理は、送信側の機器、受信側の機器のいずれで行われてもよい。例えば、ユーザー名、パスワードの入力処理、ユーザーＩＤ等が記憶されているＩＣカードの読み取り処理、指紋認証等の生体認証、連携認証等であってもよい。また、通信を指示しているユーザーが判明するような処理であれば、ログイン処理以外の処理（例えば、単なるユーザー名の入力処理）であってもよい。以下の説明における「ログイン」についても同様である。
【００３９】
ステップＳ５０４では、通信Ａで接続が可能か否かを判断し、通信Ａで接続が可能の場合はステップＳ５０６へ進み、それ以外の場合（例えば、通信Ａが既に使用されている場合）はステップＳ５１６へ進む。
ステップＳ５０６では、通信Ａで通信を開始する。
【００４０】
ステップＳ５０８では、通信Ｂへの切り替え指示があったか否かを判断し、指示があった場合はステップＳ５１０へ進み、それ以外の場合はステップＳ５１４へ進む。
ステップＳ５１０では、通信Ａを終了して通信Ｂに切り替えて通信を継続する。
ステップＳ５１２では、通信が終了したか否かを判断し、終了した場合は処理を終了し（ステップＳ５９９）、それ以外の場合は通信が終了するまで待機する。
【００４１】
ステップＳ５１４では、通信が終了したか否かを判断し、終了した場合は処理を終了し（ステップＳ５９９）、それ以外の場合はステップＳ５０８へ戻る。
ステップＳ５１６では、通信Ｂで接続が可能か否かを判断し、通信Ｂで接続が可能の場合はステップＳ５１８へ進み、それ以外の場合はステップＳ５０４に戻る。
【００４２】
ステップＳ５１８では、通信を開始しようとしているユーザーの優先順位は、通信Ａによる通信中のユーザーの優先順位より高いか否かを判断し、高い場合はステップＳ５２０へ進み、それ以外の場合はステップＳ５２８へ進む。具体的には、優先順位の比較処理に、ユーザー情報テーブル６００を用いる。図６は、ユーザー情報テーブル６００のデータ構造例を示す説明図である。ユーザー情報テーブル６００は、ユーザーＩＤ欄６１０、ユーザー名欄６２０、優先順位欄６３０を有している。ユーザーに対応した優先順位を記憶している。ユーザーＩＤ欄６１０は、本実施の形態において、ユーザーを一意に識別するための情報（ユーザーＩＤ：ＩＤｅｎｔｉｆｉｃａｔｉｏｎ）を記憶している。ユーザー名欄６２０は、そのユーザーＩＤのユーザーのユーザー名を記憶している。優先順位欄６３０は、そのユーザーの優先順位を記憶している。
【００４３】
ステップＳ５２０では、通信中の通信Ａのサービスを通信Ｂに切り替えるように指示する。このステップＳ５２０での指示は、ステップＳ５０８で受ける指示に該当する。
ステップＳ５２２では、通信Ａで接続が可能か否かを判断し、通信Ａで接続が可能の場合はステップＳ５２４へ進み、それ以外の場合は接続が可能となるまで待機する。
ステップＳ５２４では、通信Ａで通信を開始する。
【００４４】
ステップＳ５２６では、通信が終了したか否かを判断し、終了した場合は処理を終了し（ステップＳ５９９）、それ以外の場合は通信が終了するまで待機する。
ステップＳ５２８では、通信Ｂで通信を開始する。
ステップＳ５３０では、通信が終了したか否かを判断し、終了した場合は処理を終了し（ステップＳ５９９）、それ以外の場合は通信が終了するまで待機する。
【００４５】
例えば、情報処理装置１００は、通信速度の速い無線通信Ａモジュール１３０Ａ（フローチャート内の通信Ａ、例えば、ＷｉＧｉｇ）と通信速度の遅い無線通信Ｂモジュール１３０Ｂ（フローチャート内の通信Ｂ、例えば、ＷｉＧｉｇと比較して遅いＷｉ−Ｆｉ）を搭載し、どちらかの無線通信モジュール１３０の接続順位を高く設定している。例えば、通信速度の速い無線通信Ａモジュール１３０Ａの接続順位を高く設定していている。したがって、通信機器１８０Ｂからの通信要求があり、通信を開始しようとした場合に、通信速度が速い無線通信Ａモジュール１３０Ａが使用されていなければ、無線通信Ａモジュール１３０Ａが使用されることになる。通信機器１８０Ｂからの通信要求があり、通信を開始しようとした場合に、通信速度が速い無線通信Ａモジュール１３０Ａが使用されているときは、通信中の無線通信Ａモジュール１３０Ａを通信速度の遅い無線通信Ｂモジュール１３０Ｂに切り替え、空いた通信速度の速い無線通信Ａモジュール１３０Ａで通信を開始する。
【００４６】
ここで、通信中のサービスの無線通信モジュール１３０を切り替えるか否かは、通信中のユーザーと、これから通信を開始しようとしているユーザーの優先順位を比較して、通信中のユーザーよりも優先順位の高いユーザーが通信を開始しようとしているならば、通信中のユーザーの無線通信モジュール１３０を切り替える。
例えば、優先順位の例として、上司・部下間の関係がある場合に、上司であるユーザーＢの優先順位は、部下であるユーザーＡの優先順位よりも高く設定する。具体的には、ユーザーＡの優先順位度を２、ユーザーＢの優先順位を１とする。ここで、優先順位は１の方が高いとする。この場合、ユーザーＡが通信速度の速い無線通信Ａモジュール１３０Ａ（例えば、ＷｉＧｉｇ）で通信中に、ユーザーＢがログインして通信を開始したら、通信中のユーザーＡの無線通信Ａモジュール１３０Ａを通信速度の遅い無線通信Ｂモジュール１３０Ｂ（例えば、その他のＷｉ−Ｆｉ）に切り替えて、ユーザーＢは通信速度の速い通信手段（ＷｉＧｉｇ）で通信を開始する。
なお、同じ優先順位のユーザー同士である場合、無線通信モジュール１３０の選択は、ユーザー情報テーブル６００への登録が速い順に優先順位が高い、としてもよい。その場合、ユーザー情報テーブル６００に登録日時の欄を付加してもよい。
【００４７】
図７は、本実施の形態による処理例を示すフローチャートである。
以下、フローチャートの説明では、例えば、通信Ａとして、伝送方式としてＷｉＧｉｇ通信が該当し、通信Ｂとして、その他のＷｉ−Ｆｉ通信が該当する。
ステップＳ７０２では、ユーザーの操作によるログインがあったか否かを判断し、ログインがあった場合はステップＳ７０４へ進み、それ以外の場合はログインがあるまで待機する。
ステップＳ７０４では、通信Ａで接続が可能か否かを判断し、通信Ａで接続が可能の場合はステップＳ７０６へ進み、それ以外の場合（例えば、通信Ａが既に使用されている場合）はステップＳ７１６へ進む。
ステップＳ７０６では、通信Ａで通信を開始する。
【００４８】
ステップＳ７０８では、通信Ｂへの切り替え指示があったか否かを判断し、指示があった場合はステップＳ７１０へ進み、それ以外の場合はステップＳ７１４へ進む。
ステップＳ７１０では、通信Ａを終了して通信Ｂに切り替えて通信を継続する。
ステップＳ７１２では、通信が終了したか否かを判断し、終了した場合は処理を終了し（ステップＳ７９９）、それ以外の場合は通信が終了するまで待機する。
【００４９】
ステップＳ７１４では、通信が終了したか否かを判断し、終了した場合は処理を終了し（ステップＳ７９９）、それ以外の場合はステップＳ７０８へ戻る。
ステップＳ７１６では、通信Ｂで接続が可能か否かを判断し、通信Ｂで接続が可能の場合はステップＳ７１８へ進み、それ以外の場合はステップＳ７０４に戻る。
【００５０】
ステップＳ７１８では、通信を開始しようとしているユーザーの優先順位は、通信Ａによる通信中のユーザーの優先順位より高い、かつ、通信Ａを用いた通信中のサービスの優先順位は（通信を開始しようとしているサービスの優先順位よりも）低いか否かを判断し、通信Ａによる通信中のユーザーの優先順位より高い、かつ、通信Ａを用いた通信中のサービスの優先順位は低い場合はステップＳ７２０へ進み、それ以外の場合はステップＳ７２８へ進む。
なお、ステップＳ７１８での判断処理として、同じ優先順位のユーザー同士である場合に、サービスの優先順位の比較結果を用いるようにしてもよい。つまり、同じ優先順位のユーザー同士であって、通信Ａを用いた通信中のサービスの優先順位が低い場合は、ステップＳ７２０へ進み、それ以外の場合はステップＳ７２８へ進むようにしてもよい。
【００５１】
ステップＳ７２０では、通信中の通信Ａのサービスを通信Ｂに切り替えるように指示する。このステップＳ７２０での指示は、ステップＳ７０８で受ける指示に該当する。
ステップＳ７２２では、通信Ａで接続が可能か否かを判断し、通信Ａで接続が可能の場合はステップＳ７２４へ進み、それ以外の場合は接続が可能となるまで待機する。
ステップＳ７２４では、通信Ａで通信を開始する。
【００５２】
ステップＳ７２６では、通信が終了したか否かを判断し、終了した場合は処理を終了し（ステップＳ７９９）、それ以外の場合は通信が終了するまで待機する。
ステップＳ７２８では、通信Ｂで通信を開始する。
ステップＳ７３０では、通信が終了したか否かを判断し、終了した場合は処理を終了し（ステップＳ７９９）、それ以外の場合は通信が終了するまで待機する。
【００５３】
図８は、本実施の形態による処理例を示すフローチャートである。
このフローチャートでは、通信Ａによる通信中のサービスの残データ量を「データ量Ａ」とし、これから通信を開始するサービスのデータ量を「データ量Ｂ」とする。
ステップＳ８０２では、ユーザーの操作によるログインがあったか否かを判断し、ログインがあった場合はステップＳ８０４へ進み、それ以外の場合はログインがあるまで待機する。
ステップＳ８０４では、通信Ａで接続が可能か否かを判断し、通信Ａで接続が可能の場合はステップＳ８０６へ進み、それ以外の場合（例えば、通信Ａが既に使用されている場合）はステップＳ８１６へ進む。
ステップＳ８０６では、通信Ａで通信を開始する。
【００５４】
ステップＳ８０８では、通信Ｂへの切り替え指示があったか否かを判断し、指示があった場合はステップＳ８１０へ進み、それ以外の場合はステップＳ８１４へ進む。
ステップＳ８１０では、通信Ａを終了して通信Ｂに切り替えて通信を継続する。
ステップＳ８１２では、通信が終了したか否かを判断し、終了した場合は処理を終了し（ステップＳ８９９）、それ以外の場合は通信が終了するまで待機する。
【００５５】
ステップＳ８１４では、通信が終了したか否かを判断し、終了した場合は処理を終了し（ステップＳ８９９）、それ以外の場合はステップＳ８０８へ戻る。
ステップＳ８１６では、通信Ｂで接続が可能か否かを判断し、通信Ｂで接続が可能の場合はステップＳ８１８へ進み、それ以外の場合はステップＳ８０４に戻る。
【００５６】
ステップＳ８１８では、通信を開始しようとしているユーザーの優先順位は、通信Ａによる通信中のユーザーの優先順位より高い、かつ、データ量Ｂ＞データ量Ａであるか否かを判断し、通信Ａによる通信中のユーザーの優先順位より高い、かつ、データ量Ｂ＞データ量Ａである場合はステップＳ８２０へ進み、それ以外の場合はステップＳ８２８へ進む。つまり、これから通信を開始しようとしているユーザーの優先順位が高く、通信を開始するサービスのデータ量が、通信中のサービスの残データ量よりも多い場合は、切り替えを行うステップＳ８２０以降の処理へ進むことになる。
なお、ステップＳ８１８での判断処理として、同じ優先順位のユーザー同士である場合に、データ量の比較結果を用いるようにしてもよい。つまり、同じ優先順位のユーザー同士であって、データ量Ｂ＞データ量Ａである場合は、ステップＳ８２０へ進み、それ以外の場合はステップＳ８２８へ進むようにしてもよい。
【００５７】
ステップＳ８２０では、通信中の通信Ａのサービスを通信Ｂに切り替えるように指示する。このステップＳ８２０での指示は、ステップＳ８０８で受ける指示に該当する。
ステップＳ８２２では、通信Ａで接続が可能か否かを判断し、通信Ａで接続が可能の場合はステップＳ８２４へ進み、それ以外の場合は接続が可能となるまで待機する。
ステップＳ８２４では、通信Ａで通信を開始する。
【００５８】
ステップＳ８２６では、通信が終了したか否かを判断し、終了した場合は処理を終了し（ステップＳ８９９）、それ以外の場合は通信が終了するまで待機する。
ステップＳ８２８では、通信Ｂで通信を開始する。
ステップＳ８３０では、通信が終了したか否かを判断し、終了した場合は処理を終了し（ステップＳ８９９）、それ以外の場合は通信が終了するまで待機する。
【００５９】
情報処理装置１００では、通信中のサービスが通信速度の速い無線通信Ａモジュール１３０Ａで通信している場合に、通信中のサービスの残データ量と、これから通信を開始しようとしているサービスのデータ量を比較し、これから通信を開始するサービスのデータ量が多いときは、通信中のサービスで利用している無線通信Ａモジュール１３０Ａを無線通信Ｂモジュール１３０Ｂに切り替える。さらに、このデータ量の条件に加えて、これから通信を開始しようとしているサービスの優先順位が通信中のサービスの優先順位よりも上位であることを条件として、切り替えるようにしてもよい。
【００６０】
図９は、本実施の形態による処理例を示すフローチャートである。
このフローチャートでは、データ量Ａを通信Ａで通信し続けた場合の通信時間を時間「ａ」とし、データ量Ｂを通信Ｂで通信した場合の通信時間を時間「ｂ」とし、データ量Ａを通信Ｂに切り替えて通信した場合の通信時間を時間「ｃ」とし、データ量Ｂを通信Ａで通信した場合の通信時間を時間「ｄ」とする。
ステップＳ９０２では、ユーザーの操作によるログインがあったか否かを判断し、ログインがあった場合はステップＳ９０４へ進み、それ以外の場合はログインがあるまで待機する。
ステップＳ９０４では、通信Ａで接続が可能か否かを判断し、通信Ａで接続が可能の場合はステップＳ９０６へ進み、それ以外の場合（例えば、通信Ａが既に使用されている場合）はステップＳ９１６へ進む。
ステップＳ９０６では、通信Ａで通信を開始する。
【００６１】
ステップＳ９０８では、通信Ｂへの切り替え指示があったか否かを判断し、指示があった場合はステップＳ９１０へ進み、それ以外の場合はステップＳ９１４へ進む。
ステップＳ９１０では、通信Ａを終了して通信Ｂに切り替えて最初から通信を再開する。
ステップＳ９１２では、通信が終了したか否かを判断し、終了した場合は処理を終了し（ステップＳ９９９）、それ以外の場合は通信が終了するまで待機する。
【００６２】
ステップＳ９１４では、通信が終了したか否かを判断し、終了した場合は処理を終了し（ステップＳ９９９）、それ以外の場合はステップＳ９０８へ戻る。
ステップＳ９１６では、通信Ｂで接続が可能か否かを判断し、通信Ｂで接続が可能の場合はステップＳ９１８へ進み、それ以外の場合はステップＳ９０４に戻る。
【００６３】
ステップＳ９１８では、通信を開始しようとしているユーザーの優先順位は、通信Ａによる通信中のユーザーの優先順位より高い、かつ、ｍａｘ（ａ，ｂ）＞ｍａｘ（ｃ，ｄ）であるか否かを判断し、通信Ａによる通信中のユーザーの優先順位より高い、かつ、ｍａｘ（ａ，ｂ）＞ｍａｘ（ｃ，ｄ）である場合はステップＳ９２０へ進み、それ以外の場合はステップＳ９２８へ進む。つまり、これから通信を開始しようとしているユーザーの優先順位が高く、切り替えない場合の通信時間が、切り替えた場合の通信時間よりも長い場合は、切り替えを行うステップＳ９２０以降の処理へ進むことになる。この例では、それぞれの最大通信時間（つまり、最終の通信終了時）を用いて、切り替えるか否かを判断しているが、それぞれのトータルの通信時間を用いて、切り替えるか否かを判断してもよい。つまり、「ｍａｘ（ａ，ｂ）＞ｍａｘ（ｃ，ｄ）」の条件を「（ａ＋ｂ）＞（ｃ＋ｄ）」としてもよい。
なお、ステップＳ９１８での判断処理として、同じ優先順位のユーザー同士である場合に、通信時間の比較結果を用いるようにしてもよい。つまり、同じ優先順位のユーザー同士であって、ｍａｘ（ａ，ｂ）＞ｍａｘ（ｃ，ｄ）である場合は、ステップＳ９２０へ進み、それ以外の場合はステップＳ９２８へ進むようにしてもよい。
【００６４】
ステップＳ９２０では、通信中の通信Ａのサービスを通信Ｂに切り替えるように指示する。このステップＳ９２０での指示は、ステップＳ９０８で受ける指示に該当する。
ステップＳ９２２では、通信Ａで接続が可能か否かを判断し、通信Ａで接続が可能の場合はステップＳ９２４へ進み、それ以外の場合は接続が可能となるまで待機する。
ステップＳ９２４では、通信Ａで通信を開始する。
【００６５】
ステップＳ９２６では、通信が終了したか否かを判断し、終了した場合は処理を終了し（ステップＳ９９９）、それ以外の場合は通信が終了するまで待機する。
ステップＳ９２８では、通信Ｂで通信を開始する。
ステップＳ９３０では、通信が終了したか否かを判断し、終了した場合は処理を終了し（ステップＳ９９９）、それ以外の場合は通信が終了するまで待機する。
【００６６】
情報処理装置１００では、通信中のサービスが通信速度の速い無線通信Ａモジュール１３０Ａで通信している場合に、通信中のサービスの残データ量と、これから通信を開始しようとしているサービスのデータ量、そして、各無線通信モジュール１３０の通信速度を用いて、各無線通信モジュール１３０で通信したときにかかる時間を計算し、無線通信モジュール１３０を切り替えるよりも通信を継続した方が短い時間で通信が終了すると判断したときは、無線通信モジュール１３０を切り替えない。そして、無線通信モジュール１３０を切り替えた方が短い時間で通信が終了すると判断したときは、無線通信モジュール１３０を切り替える。さらに、この通信時間の条件に加えて、これから通信を開始しようとしているサービスの優先順位が通信中のサービスの優先順位よりも上位であることを条件として、切り替えるようにしてもよい。
【００６７】
図１０は、本実施の形態による処理例を示すフローチャートである。図５、７〜９に示したフローチャートによる処理例のうち、切り替えが発生する場合の処理例を示すものである。先に通信機器１８０Ａと情報処理装置１００が通信速度の速い通信Ａ（例えば、ＷｉＧｉｇ通信）で通信を行っていた場合に、通信機器１８０Ｂからの通信要求があり、通信の切り替えが必要と判断し、通信機器１８０Ａとは通信速度の遅い通信Ｂ（例えば、その他のＷｉ−Ｆｉ通信）に切り替え、通信機器１８０Ｂとは通信速度の速い通信Ａの通信を行う例を示したものである。
【００６８】
ステップＳ１００２Ａでは、情報処理装置１００と通信機器１８０Ａは、通信Ａで通信中である。
ステップＳ１００２Ｂでは、通信機器１８０Ａと情報処理装置１００は、通信Ａで通信中である。
ステップＳ１００４Ａでは、通信機器１８０Ｂにおいて、ユーザーの操作によるログイン処理（主に、ユーザーの操作入力）を行う。
ステップＳ１００４Ｂでは、情報処理装置１００において、ユーザーの操作によるログイン処理（主に、認証処理）を行う。
ステップＳ１００６では、通信機器１８０Ｂは、情報処理装置１００に対して通信要求を送信する。
【００６９】
ステップＳ１００８では、情報処理装置１００は、通信機器１８０Ｂより通信要求を受信する。
ステップＳ１０１０では、情報処理装置１００は、切替判断を行う。例えば、ステップＳ５１８で「Ｙ」、ステップＳ８１８で「Ｙ」、ステップＳ９１８で「Ｙ」となった場合である。
ステップＳ１０１２では、情報処理装置１００は、通信機器１８０Ａに対して通信Ｂへの切替指示を送信する。
【００７０】
ステップＳ１０１４では、通信機器１８０Ａは、情報処理装置１００より通信Ｂへの切替指示を受信する。
ステップＳ１０１６では、通信機器１８０Ａは、情報処理装置１００に対して通信Ａの切断指示を送信する。
ステップＳ１０１８では、情報処理装置１００は、通信機器１８０Ａより通信Ａの切断指示を受信する。
【００７１】
ステップＳ１０２０では、通信機器１８０Ａは、情報処理装置１００との通信Ａを切断する。
ステップＳ１０２２では、情報処理装置１００は、通信機器１８０Ａとの通信Ａを切断する。
ステップＳ１０２４では、通信機器１８０Ａは、情報処理装置１００に対して通信Ｂでの通信開始指示を送信する。
【００７２】
ステップＳ１０２６では、情報処理装置１００は、通信機器１８０Ａより通信Ｂでの通信開始指示を受信する。
なお、ステップＳ１０１６、ステップＳ１０２４では、通信機器１８０Ａから情報処理装置１００に対して、指示を送信しているが、逆に、情報処理装置１００から通信機器１８０Ａに対して、指示を送信してもよい。
ステップＳ１０２８では、通信機器１８０Ａは、情報処理装置１００との通信Ｂを開始する。
ステップＳ１０３０では、情報処理装置１００は、通信機器１８０Ａとの通信Ｂを開始する。
【００７３】
ステップＳ１０３２では、情報処理装置１００は、通信機器１８０Ｂに対して通信Ａでの通信開始指示を送信する。
ステップＳ１０３４では、通信機器１８０Ｂは、情報処理装置１００より通信Ａでの通信開始指示を受信する。
ステップＳ１０３６では、通信機器１８０Ｂは、情報処理装置１００との間で通信Ａを開始する。
ステップＳ１０３８では、情報処理装置１００は、通信機器１８０Ｂとの間で通信Ａを開始する。
【００７４】
図１１は、本実施の形態による処理例を示すフローチャートである。
図１１のフローチャートでは、Ｍチャネル分は、通信Ａで同時に使用できるチャネル数（チャネルボンディングで使用するチャネル数）であり、例えば通信ＡがＷｉＧｉｇである場合「４チャネル分」等があり、Ｎチャネル分は、Ｍチャネル分より少ない数であり、例えば「２チャネル分」等がある。例えば、通信速度の速い無線通信モジュール１３０（ＷｉＧｉｇ）の４つのチャネルすべて使用されている場合は、その４つのチャネルのうち、２つに減らして、新たに通信を開始する方の無線通信モジュール１３０としてチャネルを２つ割り当てて通信する。
【００７５】
ステップＳ１１０２では、ユーザーの操作によるログインがあったか否かを判断し、ログインがあった場合はステップＳ１１０４へ進み、それ以外の場合はログインがあるまで待機する。
ステップＳ１１０４では、通信Ａで接続が可能か否かを判断し、通信Ａで接続が可能の場合はステップＳ１１０６へ進み、それ以外の場合（例えば、通信Ａが既に使用されている場合）はステップＳ１１１６へ進む。
ステップＳ１１０６では、通信Ａ、Ｍチャネル分を用いて通信を開始する。
【００７６】
ステップＳ１１０８では、通信Ａ、Ｎチャネル分を空けるよう指示があったか否かを判断し、指示があった場合はステップＳ１１１０へ進み、それ以外の場合はステップＳ１１１４へ進む。
ステップＳ１１１０では、通信Ａ、Ｎチャネル分を空けて通信を継続する。
ステップＳ１１１２では、通信が終了したか否かを判断し、終了した場合は処理を終了し（ステップＳ１１９９）、それ以外の場合は通信が終了するまで待機する。
【００７７】
ステップＳ１１１４では、通信が終了したか否かを判断し、終了した場合は処理を終了し（ステップＳ１１９９）、それ以外の場合はステップＳ１１０８へ戻る。
ステップＳ１１１６では、通信を開始しようとしているユーザーの優先順位は、通信Ａによる通信中のユーザーの優先順位より高いか否かを判断し、通信を開始しようとしているユーザーの優先順位は、通信Ａによる通信中のユーザーの優先順位より高い場合はステップＳ１１１８へ進み、それ以外の場合はステップＳ１１２６へ進む。
なお、ステップＳ１１１６の判断処理を、図７、図８、図９の例で示したフローチャート内のステップＳ７１８、ステップＳ８１８、ステップＳ９１８における判断処理に置き換えてもよい。
【００７８】
ステップＳ１１１８では、通信中の通信Ａ、ＭチャネルのうちＮチャネル分を空けるように指示する。このステップＳ１１１８での指示は、ステップＳ１１０８で受ける指示に該当する。
ステップＳ１１２０では、通信Ａで接続が可能か否かを判断し、通信Ａで接続が可能の場合はステップＳ１１２２へ進み、それ以外の場合は接続が可能となるまで待機する。
ステップＳ１１２２では、通信Ａ、Ｎチャネル分を用いて通信を開始する。
【００７９】
ステップＳ１１２４では、通信が終了したか否かを判断し、終了した場合は処理を終了し（ステップＳ１１９９）、それ以外の場合は通信が終了するまで待機する。
ステップＳ１１２６では、通信Ｂで通信を開始する。通信Ｂで通信する例だが、通信Ａが空くのを待ち続けてもよい。
ステップＳ１１２８では、通信が終了したか否かを判断し、終了した場合は処理を終了し（ステップＳ１１９９）、それ以外の場合は通信が終了するまで待機する。
【００８０】
図１２は、本実施の形態による処理例を示すフローチャートである。図１１に示したフローチャートによる処理例のうち、チャネル数の切り替えが発生する場合の処理例を示すものである。先に通信機器１８０Ａと情報処理装置１００が通信速度の速い通信Ａ（例えば、ＷｉＧｉｇ通信）、Ｍチャネル分を用いた通信を行っていた場合に、通信機器１８０Ｂからの通信要求があり、通信チャネルの切り替えが必要と判断し、通信機器１８０Ａとは（Ｍ−Ｎ）チャネル分の通信に切り替え、通信機器１８０Ｂとは通信Ａ、Ｎチャネル分の通信を行う例を示したものである。
【００８１】
ステップＳ１２０２Ａでは、情報処理装置１００と通信機器１８０Ａは、通信Ａ、Ｍチャネル分を用いて通信中である。
ステップＳ１２０２Ｂは、通信機器１８０Ａと情報処理装置１００は、通信Ａ、Ｍチャネル分を用いて通信中である。
ステップＳ１２０４Ａでは、通信機器１８０Ｂにおいて、ユーザーの操作によるログイン処理（主に、ユーザーの操作入力）を行う。
ステップＳ１２０４Ｂでは、情報処理装置１００において、ユーザーの操作によるログイン処理（主に、認証処理）を行う。
ステップＳ１２０６では、通信機器１８０Ｂは、情報処理装置１００に対して通信要求を送信する。
【００８２】
ステップＳ１２０８では、情報処理装置１００は、通信機器１８０Ｂより通信要求を受信する。
ステップＳ１２１０では、情報処理装置１００は、チャネルの切替判断を行う。
ステップＳ１２１２では、情報処理装置１００は、通信機器１８０Ａに対してＮチャネル分の開放指示を送信する。
【００８３】
ステップＳ１２１４では、通信機器１８０Ａは、情報処理装置１００よりＮチャネル分の開放指示を受信する。
ステップＳ１２１６では、通信機器１８０Ａは、情報処理装置１００に対してＮチャネル分の通信切断指示を送信する。
なお、ステップＳ１２１６では、通信機器１８０Ａから情報処理装置１００に対して、指示を送信しているが、逆に、情報処理装置１００から通信機器１８０Ａに対して、指示を送信してもよい。
【００８４】
ステップＳ１２１８では、情報処理装置１００は、通信機器１８０ＡよりＮチャネル分の通信切断指示を受信する。
ステップＳ１２２０では、通信機器１８０Ａは、情報処理装置１００とのＮチャネル分の通信を切断する。
ステップＳ１２２２では、情報処理装置１００は、通信機器１８０ＡとのＮチャネル分の通信を切断する。
【００８５】
ステップＳ１２２４では、情報処理装置１００は、通信機器１８０Ｂに対して通信Ａ、Ｎチャネル分を用いての通信開始指示を送信する。
ステップＳ１２２６では、通信機器１８０Ｂは、情報処理装置１００より通信Ａ、Ｎチャネル分を用いての通信開始指示を受信する。
ステップＳ１２２８では、通信機器１８０Ｂは、情報処理装置１００との通信Ａ、Ｎチャネル分の通信を開始する。
ステップＳ１２３０では、情報処理装置１００は、通信機器１８０Ｂとの通信Ａ、Ｎチャネル分の通信を開始する。
【００８６】
図１３は、本実施の形態による処理例を示すフローチャートである。
ステップＳ１３０２では、通信Ａで接続が可能か否かを判断し、通信Ａで接続が可能の場合はステップＳ１３０４へ進み、それ以外の場合（例えば、通信Ａが既に使用されている場合）はステップＳ１３１４へ進む。
ステップＳ１３０４では、通信Ａで通信を開始する。
【００８７】
ステップＳ１３０６では、通信Ｂへの切り替え指示があったか否かを判断し、指示があった場合はステップＳ１３０８へ進み、それ以外の場合はステップＳ１３１２へ進む。
ステップＳ１３０８では、通信Ａを終了して通信Ｂに切り替えて通信を継続する。
ステップＳ１３１０では、通信が終了したか否かを判断し、終了した場合は処理を終了し（ステップＳ１３９９）、それ以外の場合は通信が終了するまで待機する。
【００８８】
ステップＳ１３１２では、通信が終了したか否かを判断し、終了した場合は処理を終了し（ステップＳ１３９９）、それ以外の場合はステップＳ１３０６へ戻る。
ステップＳ１３１４では、通信Ｂで接続が可能か否かを判断し、通信Ｂで接続が可能の場合はステップＳ１３１６へ進み、それ以外の場合はステップＳ１３０２に戻る。
【００８９】
ステップＳ１３１６では、対象としている通信であって、後から開始しようとしている通信において、割り込み指示を含む通信であるか否かを判断し、割り込み指示を含む通信である場合はステップＳ１３１８へ進み、それ以外の場合はステップＳ１３２６へ進む。
【００９０】
ステップＳ１３１８では、通信中の通信Ａのサービスを通信Ｂに切り替えるように指示する。このステップＳ１３１８での指示は、ステップＳ１３０６で受ける指示に該当する。
ステップＳ１３２０では、通信Ａで接続が可能か否かを判断し、通信Ａで接続が可能の場合はステップＳ１３２２へ進み、それ以外の場合は接続が可能となるまで待機する。
ステップＳ１３２２では、通信Ａで通信を開始する。
【００９１】
ステップＳ１３２４では、通信が終了したか否かを判断し、終了した場合は処理を終了し（ステップＳ１３９９）、それ以外の場合は通信が終了するまで待機する。
ステップＳ１３２６では、通信Ｂで通信を開始する。
ステップＳ１３２８では、通信が終了したか否かを判断し、終了した場合は処理を終了し（ステップＳ１３９９）、それ以外の場合は通信が終了するまで待機する。
【００９２】
図１４は、本実施の形態による処理例を示すフローチャートである。図１３に示したフローチャートによる処理例のうち、切り替えが発生する場合の処理例を示すものである。先に通信機器１８０Ａと情報処理装置１００が通信速度の速い通信Ａ（例えば、ＷｉＧｉｇ通信）で通信を行っていた場合に、通信機器１８０Ｂからの通信要求があり、通信の切り替えが必要と判断し、通信機器１８０Ａとは通信速度の遅い通信Ｂ（例えば、その他のＷｉ−Ｆｉ通信）に切り替え、通信機器１８０Ｂとは通信速度の速い通信Ａの通信を行う例を示したものである。
【００９３】
ステップＳ１４０２Ａでは、情報処理装置１００と通信機器１８０Ａは、通信Ａで通信中である。
ステップＳ１４０２Ｂでは、通信機器１８０Ａと情報処理装置１００は、通信Ａで通信中である。
ステップＳ１４０４では、通信機器１８０Ｂは、情報処理装置１００に対して通信要求を送信する。ここでは、通信要求として、「割り込み指示」を含んでいる。
【００９４】
ステップＳ１４０６では、情報処理装置１００は、通信機器１８０Ｂより通信要求を受信する。
ステップＳ１４０８では、情報処理装置１００は、切替判断を行う。通信要求内に「割り込み指示」が含まれているので、切替処理を行う。
ステップＳ１４１０では、情報処理装置１００は、通信機器１８０Ａに対して通信Ｂへの切替指示を送信する。
【００９５】
ステップＳ１４１２では、通信機器１８０Ａは、情報処理装置１００より通信Ｂへの切替指示を受信する。
ステップＳ１４１４では、通信機器１８０Ａは、情報処理装置１００に対して通信Ａの切断指示を送信する。
ステップＳ１４１６では、情報処理装置１００は、通信機器１８０Ａより通信Ａの切断指示を受信する。
【００９６】
ステップＳ１４１８では、通信機器１８０Ａは、情報処理装置１００との通信Ａを切断する。
ステップＳ１４２０では、情報処理装置１００は、通信機器１８０Ａとの通信Ａを切断する。
ステップＳ１４２２では、通信機器１８０Ａは、情報処理装置１００に対して通信Ｂでの通信開始指示を送信する。
【００９７】
ステップＳ１４２４では、情報処理装置１００は、通信機器１８０Ａより通信Ｂでの通信開始指示を受信する。
なお、ステップＳ１４１４、ステップＳ１４２２では、通信機器１８０Ａから情報処理装置１００に対して、指示を送信しているが、逆に、情報処理装置１００から通信機器１８０Ａに対して、指示を送信してもよい。
ステップＳ１４２６では、通信機器１８０Ａは、情報処理装置１００との通信Ｂを開始する。
ステップＳ１４２８では、情報処理装置１００は、通信機器１８０Ａとの通信Ｂを開始する。
【００９８】
ステップＳ１４３０では、情報処理装置１００は、通信機器１８０Ｂに対して通信Ａでの通信開始指示を送信する。
ステップＳ１４３２では、通信機器１８０Ｂは、情報処理装置１００より通信Ａでの通信開始指示を受信する。
ステップＳ１４３４では、通信機器１８０Ｂは、情報処理装置１００との間で通信Ａを開始する。
ステップＳ１４３６では、情報処理装置１００は、通信機器１８０Ｂとの間で通信Ａを開始する。
【００９９】
図１５は、本実施の形態による処理例を示すフローチャートである。
ステップＳ１５０２では、ユーザーの操作によるログインがあったか否かを判断し、ログインがあった場合はステップＳ１５０４へ進み、それ以外の場合はログインがあるまで待機する。
ステップＳ１５０４では、通信Ａで接続が可能か否かを判断し、通信Ａで接続が可能の場合はステップＳ１５０６へ進み、それ以外の場合（例えば、通信Ａが既に使用されている場合）はステップＳ１５１６へ進む。
ステップＳ１５０６では、通信Ａで通信を開始する。
【０１００】
ステップＳ１５０８では、通信Ｂへの切り替え指示があったか否かを判断し、指示があった場合はステップＳ１５１０へ進み、それ以外の場合はステップＳ１５１４へ進む。
ステップＳ１５１０では、通信Ａを終了して通信Ｂに切り替えて通信を継続する。
ステップＳ１５１２では、通信が終了したか否かを判断し、終了した場合は処理を終了し（ステップＳ１５９９）、それ以外の場合は通信が終了するまで待機する。
【０１０１】
ステップＳ１５１４では、通信が終了したか否かを判断し、終了した場合は処理を終了し（ステップＳ１５９９）、それ以外の場合はステップＳ１５０８へ戻る。
ステップＳ１５１６では、通信Ｂで接続が可能か否かを判断し、通信Ｂで接続が可能の場合はステップＳ１５１８へ進み、それ以外の場合はステップＳ１５０４に戻る。
【０１０２】
ステップＳ１５１８では、通信を開始しようとしているユーザーの優先順位は、通信Ａによる通信中のユーザーの優先順位より高い、かつ、対象としている通信であって、後から開始しようとしている通信において、割り込み指示を含む通信であるか否かを判断し、その条件を満たす場合はステップＳ１５２０へ進み、それ以外の場合はステップＳ１５２８へ進む。
なお、「通信を開始しようとしているユーザーの優先順位は、通信Ａによる通信中のユーザーの優先順位より高い」の条件を、図７、図８、図９の例で示したフローチャート内のステップＳ７１８、ステップＳ８１８、ステップＳ９１８における条件に置き換えてもよい。
【０１０３】
ステップＳ１５２０では、通信中の通信Ａのサービスを通信Ｂに切り替えるように指示する。このステップＳ１５２０での指示は、ステップＳ１５０８で受ける指示に該当する。
ステップＳ１５２２では、通信Ａで接続が可能か否かを判断し、通信Ａで接続が可能の場合はステップＳ１５２４へ進み、それ以外の場合は接続が可能となるまで待機する。
ステップＳ１５２４では、通信Ａで通信を開始する。
【０１０４】
ステップＳ１５２６では、通信が終了したか否かを判断し、終了した場合は処理を終了し（ステップＳ１５９９）、それ以外の場合は通信が終了するまで待機する。
ステップＳ１５２８では、通信Ｂで通信を開始する。
ステップＳ１５３０では、通信が終了したか否かを判断し、終了した場合は処理を終了し（ステップＳ１５９９）、それ以外の場合は通信が終了するまで待機する。
【０１０５】
図１６は、本実施の形態による処理例を示すフローチャートである。図１５に示したフローチャートによる処理例のうち、切り替えが発生する場合の処理例を示すものである。先に通信機器１８０Ａと情報処理装置１００が通信速度の速い通信Ａ（例えば、ＷｉＧｉｇ通信）で通信を行っていた場合に、通信機器１８０Ｂからの通信要求があり、通信の切り替えが必要と判断し、通信機器１８０Ａとは通信速度の遅い通信Ｂ（例えば、その他のＷｉ−Ｆｉ通信）に切り替え、通信機器１８０Ｂとは通信速度の速い通信Ａの通信を行う例を示したものである。
【０１０６】
ステップＳ１６０２Ａでは、情報処理装置１００と通信機器１８０Ａは、通信Ａで通信中である。
ステップＳ１６０２Ｂでは、通信機器１８０Ａと情報処理装置１００は、通信Ａで通信中である。
ステップＳ１６０４Ａでは、通信機器１８０Ｂにおいて、ユーザーの操作によるログイン処理（主に、ユーザーの操作入力）を行う。
ステップＳ１６０４Ｂでは、情報処理装置１００において、ユーザーの操作によるログイン処理（主に、認証処理）を行う。
ステップＳ１６０６では、通信機器１８０Ｂは、情報処理装置１００に対して通信要求を送信する。通信要求として、「割り込み指示」を含んでいる。
【０１０７】
ステップＳ１６０８では、情報処理装置１００は、通信機器１８０Ｂより通信要求を受信する。
ステップＳ１６１０では、情報処理装置１００は、切替判断を行う。通信要求内に「割り込み指示」が含まれているので、切替処理を行う。
ステップＳ１６１２では、情報処理装置１００は、通信機器１８０Ａに対して通信Ｂへの切替指示を送信する。
【０１０８】
ステップＳ１６１４では、通信機器１８０Ａは、情報処理装置１００より通信Ｂへの切替指示を受信する。
ステップＳ１６１６では、通信機器１８０Ａは、情報処理装置１００に対して通信Ａの切断指示を送信する。
ステップＳ１６１８では、情報処理装置１００は、通信機器１８０Ａより通信Ａの切断指示を受信する。
【０１０９】
ステップＳ１６２０では、通信機器１８０Ａは、情報処理装置１００との通信Ａを切断する。
ステップＳ１６２２では、情報処理装置１００は、通信機器１８０Ａとの通信Ａを切断する。
ステップＳ１６２４では、通信機器１８０Ａは、情報処理装置１００に対して通信Ｂでの通信開始指示を送信する。
【０１１０】
ステップＳ１６２６では、情報処理装置１００は、通信機器１８０Ａより通信Ｂでの通信開始指示を受信する。
なお、ステップＳ１６１６、ステップＳ１６２４では、通信機器１８０Ａから情報処理装置１００に対して、指示を送信しているが、逆に、情報処理装置１００から通信機器１８０Ａに対して、指示を送信してもよい。
ステップＳ１６２８では、通信機器１８０Ａは、情報処理装置１００との通信Ｂを開始する。
ステップＳ１６３０では、情報処理装置１００は、通信機器１８０Ａとの通信Ｂを開始する。
【０１１１】
ステップＳ１６３２では、情報処理装置１００は、通信機器１８０Ｂに対して通信Ａでの通信開始指示を送信する。
ステップＳ１６３４では、通信機器１８０Ｂは、情報処理装置１００より通信Ａでの通信開始指示を受信する。
ステップＳ１６３６では、通信機器１８０Ｂは、情報処理装置１００との間で通信Ａを開始する。
ステップＳ１６３８では、情報処理装置１００は、通信機器１８０Ｂとの間で通信Ａを開始する。
【０１１２】
図１７は、本実施の形態による処理例を示すフローチャートである。
図１７のフローチャートでは、Ｍチャネル分は、通信Ａで同時に使用できるチャネル数（チャネルボンディングで使用するチャネル数）であり、例えば通信ＡがＷｉＧｉｇである場合「４チャネル分」等があり、Ｎチャネル分は、Ｍチャネル分より少ない数であり、例えば「２チャネル分」等がある。例えば、通信速度の速い無線通信モジュール１３０（ＷｉＧｉｇ）の４つのチャネルすべて使用されている場合は、その４つのチャネルのうち、２つに減らして、新たに通信を開始する方の無線通信モジュール１３０としてチャネルを２つ割り当てて通信する。
【０１１３】
ステップＳ１７０２では、通信Ａで接続が可能か否かを判断し、通信Ａで接続が可能の場合はステップＳ１７０４へ進み、それ以外の場合（例えば、通信Ａが既に使用されている場合）はステップＳ１７１４へ進む。
ステップＳ１７０４では、通信Ａ、Ｍチャネル分を用いて通信を開始する。
【０１１４】
ステップＳ１７０６では、通信Ａ、Ｎチャネル分を空けるよう指示があったか否かを判断し、指示があった場合はステップＳ１７０８へ進み、それ以外の場合はステップＳ１７１２へ進む。
ステップＳ１７０８では、通信Ａ、Ｎチャネル分を空けて通信を継続する。
ステップＳ１７１０では、通信が終了したか否かを判断し、終了した場合は処理を終了し（ステップＳ１７９９）、それ以外の場合は通信が終了するまで待機する。
【０１１５】
ステップＳ１７１２では、通信が終了したか否かを判断し、終了した場合は処理を終了し（ステップＳ１７９９）、それ以外の場合はステップＳ１７０６へ戻る。
ステップＳ１７１４では、対象としている通信であって、後から開始しようとしている通信において、割り込み指示を含む通信であるか否かを判断し、割り込み指示を含む通信である場合はステップＳ１７１６へ進み、それ以外の場合はステップＳ１７２４へ進む。
【０１１６】
ステップＳ１７１６では、通信中の通信Ａ、ＭチャネルのうちＮチャネル分を空けるように指示する。このステップＳ１７１８での指示は、ステップＳ１７０６で受ける指示に該当する。
ステップＳ１７１８では、通信Ａで接続が可能か否かを判断し、通信Ａで接続が可能の場合はステップＳ１７２０へ進み、それ以外の場合は接続が可能となるまで待機する。
ステップＳ１７２０では、通信Ａ、Ｎチャネル分を用いて通信を開始する。
【０１１７】
ステップＳ１７２２では、通信が終了したか否かを判断し、終了した場合は処理を終了し（ステップＳ１７９９）、それ以外の場合は通信が終了するまで待機する。
ステップＳ１７２４では、通信Ｂで通信を開始する。通信Ｂで通信する例だが、通信Ａが空くのを待ち続けてもよい。
ステップＳ１７２６では、通信が終了したか否かを判断し、終了した場合は処理を終了し（ステップＳ１７９９）、それ以外の場合は通信が終了するまで待機する。
【０１１８】
図１８は、本実施の形態による処理例を示すフローチャートである。図１７に示したフローチャートによる処理例のうち、チャネル数の切り替えが発生する場合の処理例を示すものである。先に通信機器１８０Ａと情報処理装置１００が通信速度の速い通信Ａ（例えば、ＷｉＧｉｇ通信）、Ｍチャネル分を用いた通信を行っていた場合に、通信機器１８０Ｂからの通信要求があり、通信チャネルの切り替えが必要と判断し、通信機器１８０Ａとは（Ｍ−Ｎ）チャネル分の通信に切り替え、通信機器１８０Ｂとは通信Ａ、Ｎチャネル分の通信を行う例を示したものである。
【０１１９】
ステップＳ１８０２Ａでは、情報処理装置１００と通信機器１８０Ａは、通信Ａ、Ｍチャネル分を用いて通信中である。
ステップＳ１８０２Ｂでは、通信機器１８０Ａと情報処理装置１００は、通信Ａ、Ｍチャネル分を用いて通信中である。
ステップＳ１８０４では、通信機器１８０Ｂは、情報処理装置１００に対して通信要求を送信する。通信要求として、「割り込み指示」を含んでいる。
【０１２０】
ステップＳ１８０６では、情報処理装置１００は、通信機器１８０Ｂより通信要求を受信する。
ステップＳ１８０８では、情報処理装置１００は、チャネルの切替判断を行う。通信要求内に「割り込み指示」が含まれているので、切替処理を行う。
ステップＳ１８１０では、情報処理装置１００は、通信機器１８０Ａに対してＮチャネル分の開放指示を送信する。
【０１２１】
ステップＳ１８１２では、通信機器１８０Ａは、情報処理装置１００よりＮチャネル分の開放指示を受信する。
ステップＳ１８１４では、通信機器１８０Ａは、情報処理装置１００に対してＮチャネル分の通信切断指示を送信する。
なお、ステップＳ１８１４では、通信機器１８０Ａから情報処理装置１００に対して、指示を送信しているが、逆に、情報処理装置１００から通信機器１８０Ａに対して、指示を送信してもよい。
【０１２２】
ステップＳ１８１６では、情報処理装置１００は、通信機器１８０ＡよりＮチャネル分の通信切断指示を受信する。
ステップＳ１８１８では、通信機器１８０Ａは、情報処理装置１００とのＮチャネル分の通信を切断する。
ステップＳ１８２０では、情報処理装置１００は、通信機器１８０ＡとのＮチャネル分の通信を切断する。
【０１２３】
ステップＳ１８２２では、情報処理装置１００は、通信機器１８０Ｂに対して通信Ａ、Ｎチャネル分を用いての通信開始指示を送信する。
ステップＳ１８２４では、通信機器１８０Ｂは、情報処理装置１００より通信Ａ、Ｎチャネル分を用いての通信開始指示を受信する。
ステップＳ１８２６では、通信機器１８０Ｂは、情報処理装置１００との通信Ａ、Ｎチャネル分の通信を開始する。
ステップＳ１８２８では、情報処理装置１００は、通信機器１８０Ｂとの通信Ａ、Ｎチャネル分の通信を開始する。
【０１２４】
図１９は、本実施の形態による処理例を示すフローチャートである。
図１９のフローチャートでは、Ｍチャネル分は、通信Ａで同時に使用できるチャネル数（チャネルボンディングで使用するチャネル数）であり、例えば通信ＡがＷｉＧｉｇである場合「４チャネル分」等があり、Ｎチャネル分は、Ｍチャネル分より少ない数であり、例えば「２チャネル分」等がある。例えば、通信速度の速い無線通信モジュール１３０（ＷｉＧｉｇ）の４つのチャネルすべて使用されている場合は、その４つのチャネルのうち、２つに減らして、新たに通信を開始する方の無線通信モジュール１３０としてチャネルを２つ割り当てて通信する。
【０１２５】
ステップＳ１９０２では、ユーザーの操作によるログインがあったか否かを判断し、ログインがあった場合はステップＳ１９４へ進み、それ以外の場合はログインがあるまで待機する。
ステップＳ１９０４では、通信Ａで接続が可能か否かを判断し、通信Ａで接続が可能の場合はステップＳ１９０６へ進み、それ以外の場合（例えば、通信Ａが既に使用されている場合）はステップＳ１９１６へ進む。
ステップＳ１９０６では、通信Ａ、Ｍチャネル分を用いて通信を開始する。
【０１２６】
ステップＳ１９０８では、通信Ａ、Ｎチャネル分を空けるよう指示があったか否かを判断し、指示があった場合はステップＳ１９１０へ進み、それ以外の場合はステップＳ１９１４へ進む。
ステップＳ１９１０では、通信Ａ、Ｎチャネル分を空けて通信を継続する。
ステップＳ１９１２では、通信が終了したか否かを判断し、終了した場合は処理を終了し（ステップＳ１９９９）、それ以外の場合は通信が終了するまで待機する。
【０１２７】
ステップＳ１９１４では、通信が終了したか否かを判断し、終了した場合は処理を終了し（ステップＳ１９９９）、それ以外の場合はステップＳ１９０８へ戻る。
ステップＳ１９１６では、通信を開始しようとしているユーザーの優先順位は、通信Ａによる通信中のユーザーの優先順位より高い、かつ、対象としている通信であって、後から開始しようとしている通信において、割り込み指示を含む通信であるか否かを判断し、その条件を満たす場合はステップＳ１９１８へ進み、それ以外の場合はステップＳ１９２６へ進む。
なお、「通信を開始しようとしているユーザーの優先順位は、通信Ａによる通信中のユーザーの優先順位より高い」の条件を、図７、図８、図９の例で示したフローチャート内のステップＳ７１８、ステップＳ８１８、ステップＳ９１８における条件に置き換えてもよい。
【０１２８】
ステップＳ１９１８では、通信中の通信Ａ、ＭチャネルのうちＮチャネル分を空けるように指示する。このステップＳ１９１８での指示は、ステップＳ１９０８で受ける指示に該当する。
ステップＳ１９２０では、通信Ａで接続が可能か否かを判断し、通信Ａで接続が可能の場合はステップＳ１９２２へ進み、それ以外の場合は接続が可能となるまで待機する。
ステップＳ１９２２では、通信Ａ、Ｎチャネル分を用いて通信を開始する。
【０１２９】
ステップＳ１９２４では、通信が終了したか否かを判断し、終了した場合は処理を終了し（ステップＳ１９９９）、それ以外の場合は通信が終了するまで待機する。
ステップＳ１９２６では、通信Ｂで通信を開始する。通信Ｂで通信する例だが、通信Ａが空くのを待ち続けてもよい。
ステップＳ１９２８では、通信が終了したか否かを判断し、終了した場合は処理を終了し（ステップＳ１９９９）、それ以外の場合は通信が終了するまで待機する。
【０１３０】
図２０は、本実施の形態による処理例を示すフローチャートである。図１９に示したフローチャートによる処理例のうち、チャネル数の切り替えが発生する場合の処理例を示すものである。先に通信機器１８０Ａと情報処理装置１００が通信速度の速い通信Ａ（例えば、ＷｉＧｉｇ通信）、Ｍチャネル分を用いた通信を行っていた場合に、通信機器１８０Ｂからの通信要求があり、通信チャネルの切り替えが必要と判断し、通信機器１８０Ａとは（Ｍ−Ｎ）チャネル分の通信に切り替え、通信機器１８０Ｂとは通信Ａ、Ｎチャネル分の通信を行う例を示したものである。
【０１３１】
ステップＳ２００２Ａでは、情報処理装置１００と通信機器１８０Ａは、通信Ａ、Ｍチャネル分を用いて通信中である。
ステップＳ２００２Ｂでは、通信機器１８０Ａと情報処理装置１００は、通信Ａ、Ｍチャネル分を用いて通信中である。
ステップＳ２００４Ａでは、通信機器１８０Ｂにおいて、ユーザーの操作によるログイン処理（主に、ユーザーの操作入力）を行う。
ステップＳ２００４Ｂでは、情報処理装置１００において、ユーザーの操作によるログイン処理（主に、認証処理）を行う。
ステップＳ２００６では、通信機器１８０Ｂは、情報処理装置１００に対して通信要求を送信する。通信要求として、「割り込み指示」を含んでいる。
【０１３２】
ステップＳ２００８では、情報処理装置１００は、通信機器１８０Ｂより通信要求を受信する。
ステップＳ２０１０では、情報処理装置１００は、チャネルの切替判断を行う。通信要求内に「割り込み指示」が含まれているので、切替処理を行う。
ステップＳ２０１２では、情報処理装置１００は、通信機器１８０Ａに対してＮチャネル分の開放指示を送信する。
【０１３３】
ステップＳ２０１４では、通信機器１８０Ａは、情報処理装置１００よりＮチャネル分の開放指示を受信する。
ステップＳ２０１６では、通信機器１８０Ａは、情報処理装置１００に対してＮチャネル分の通信切断指示を送信する。
なお、ステップＳ２０１６では、通信機器１８０Ａから情報処理装置１００に対して、指示を送信しているが、逆に、情報処理装置１００から通信機器１８０Ａに対して、指示を送信してもよい。
【０１３４】
ステップＳ２０１８では、情報処理装置１００は、通信機器１８０ＡよりＮチャネル分の通信切断指示を受信する。
ステップＳ２０２０では、通信機器１８０Ａは、情報処理装置１００とのＮチャネル分の通信を切断する。
ステップＳ２０２２では、情報処理装置１００は、通信機器１８０ＡとのＮチャネル分の通信を切断する。
【０１３５】
ステップＳ２０２４では、情報処理装置１００は、通信機器１８０Ｂに対して通信Ａ、Ｎチャネル分を用いての通信開始指示を送信する。
ステップＳ２０２６では、通信機器１８０Ｂは、情報処理装置１００より通信Ａ、Ｎチャネル分を用いての通信開始指示を受信する。
ステップＳ２０２８では、通信機器１８０Ｂは、情報処理装置１００との通信Ａ、Ｎチャネル分の通信を開始する。
ステップＳ２０３０では、情報処理装置１００は、通信機器１８０Ｂとの通信Ａ、Ｎチャネル分の通信を開始する。
【０１３６】
図２１を参照して、本実施の形態の情報処理装置のハードウェア構成例について説明する。図２１に示す構成は、例えばパーソナルコンピュータ（ＰＣ）等によって構成されるものであり、スキャナ等のデータ読み取り部２１１７と、プリンタ等のデータ出力部２１１８を備えたハードウェア構成例を示している。
なお、図３に示す例は、ＡＳＩＣ等を用いて、主にチップとしての構成を示しているが、図２１に示す例は、パーソナルコンピュータ等によって構成した場合の主に機能的な構成を記載したものである。例えば、ＳｏＣ３００、ＡＳＩＣ３３０による機能をＣＰＵ２１０１が担う。
【０１３７】
ＣＰＵ（Ｃｅｎｔｒａｌ  Ｐｒｏｃｅｓｓｉｎｇ  Ｕｎｉｔ）２１０１は、前述の実施の形態において説明した各種のモジュール、すなわち、通信制御モジュール１１０、切替判断モジュール１１５、切替モジュール１２０、制御モジュール１２５、無線通信Ａモジュール１３０Ａ、無線通信Ｂモジュール１３０Ｂ等の各モジュールの実行シーケンスを記述したコンピュータ・プログラムにしたがった処理を実行する制御部である。
【０１３８】
ＲＯＭ（Ｒｅａｄ  Ｏｎｌｙ  Ｍｅｍｏｒｙ）２１０２は、ＣＰＵ２１０１が使用するプログラムや演算パラメータ等を格納する。ＲＡＭ（Ｒａｎｄｏｍ  Ａｃｃｅｓｓ  Ｍｅｍｏｒｙ）２１０３は、ＣＰＵ２１０１の実行において使用するプログラムや、その実行において適宜変化するパラメータ等を格納する。これらはＣＰＵバス等から構成されるホストバス２１０４により相互に接続されている。
【０１３９】
ホストバス２１０４は、ブリッジ２１０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス２１０６に接続されている。
【０１４０】
キーボード２１０８、マウス等のポインティングデバイス２１０９は、操作者により操作されるデバイスである。ディスプレイ２１１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス２１０９とディスプレイ２１１０の両方の機能を備えているタッチスクリーン等であってもよい。その場合、キーボードの機能の実現について、キーボード２１０８のように物理的に接続しなくても、画面（タッチスクリーン）上にソフトウエアでキーボード（いわゆるソフトウェアキーボード、スクリーンキーボード等ともいわれる）を描画して、キーボードの機能を実現するようにしてもよい。
【０１４１】
ＨＤＤ（Ｈａｒｄ  Ｄｉｓｋ  Ｄｒｉｖｅ）２１１１は、ハードディスク（フラッシュ・メモリ等であってもよい）を内蔵し、ハードディスクを駆動し、ＣＰＵ２１０１によって実行するプログラムや情報を記録又は再生させる。ハードディスクには、ユーザー情報テーブル６００、予め定められたサービスの優先順位、通信内容等が格納される。さらに、その他の各種データ、各種コンピュータ・プログラム等が格納される。
【０１４２】
ドライブ２１１２は、装着されている磁気ディスク、光ディスク、光磁気ディスク、又は半導体メモリ等のリムーバブル記録媒体２１１３に記録されているデータ又はプログラムを読み出して、そのデータ又はプログラムを、インタフェース２１０７、外部バス２１０６、ブリッジ２１０５、及びホストバス２１０４を介して接続されているＲＡＭ２１０３に供給する。なお、リムーバブル記録媒体２１１３も、データ記録領域として利用可能である。
【０１４３】
接続ポート２１１４は、外部接続機器２１１５を接続するポートであり、ＵＳＢ、ＩＥＥＥ１３９４等の接続部を持つ。接続ポート２１１４は、インタフェース２１０７、及び外部バス２１０６、ブリッジ２１０５、ホストバス２１０４等を介してＣＰＵ２１０１等に接続されている。通信部２１１６は、通信回線に接続され、外部とのデータ通信処理を実行する。データ読み取り部２１１７は、例えばスキャナであり、ドキュメントの読み取り処理を実行する。データ出力部２１１８は、例えばプリンタであり、ドキュメントデータの出力処理を実行する。
【０１４４】
なお、図２１に示す情報処理装置のハードウェア構成は、１つの構成例を示すものであり、本実施の形態は、図２１に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図２１に示すシステムが複数互いに通信回線によって接続されていて互いに協調動作するようにしてもよい。また、特に、パーソナルコンピュータの他、携帯情報通信機器、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【０１４５】
また、前述の実施の形態の説明内での比較処理において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
また、通信機器１８０が情報処理装置１００を具備していてもよい。例えば、情報処理装置１００を有していない画像処理装置と情報処理装置１００を有している通信機器１８０とが通信を行ってもよいし、情報処理装置１００を有している画像処理装置２００と情報処理装置１００を有している通信機器１８０とが通信を行ってもよい。
【０１４６】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【０１４７】
１００…情報処理装置
１１０…通信制御モジュール
１１５…切替判断モジュール
１２０…切替モジュール
１２５…制御モジュール
１３０…無線通信モジュール
１８０…通信機器
２００…画像処理装置
２８０…ユーザー
【図１】
2018166300.tif 000003
【図２】
2018166300.tif 000004
【図３】
2018166300.tif 000005
【図４】
2018166300.tif 000006
【図５】
2018166300.tif 000007
【図６】
2018166300.tif 000008
【図７】
2018166300.tif 000009
【図８】
2018166300.tif 000010
【図９】
2018166300.tif 000011
【図１０】
2018166300.tif 000012
【図１１】
2018166300.tif 000013
【図１２】
2018166300.tif 000014
【図１３】
2018166300.tif 000015
【図１４】
2018166300.tif 000016
【図１５】
2018166300.tif 000017
【図１６】
2018166300.tif 000018
【図１７】
2018166300.tif 000019
【図１８】
2018166300.tif 000020
【図１９】
2018166300.tif 000021
【図２０】
2018166300.tif 000022
【図２１】
2018166300.tif 000023